(57)【要約】【課題】管路管理システムにおける竣工図のデータ及び背景図のデータの更新を効率的かつ確実に行う。【解決手段】管路管理システム（Ａ）において表示される既設管路の竣工図及び背景図のデータとを更新する際に、更新すべき箇所を含む更新箇所６Ａを指定して抜き出し、更新箇所６Ａにおける背景図のデータを竣工図のデータとともに管路管理システム（Ａ）から設計積算ＣＡＤシステム（Ｂ）に送り、この設計積算ＣＡＤシステム（Ｂ）において前記送られた背景図のデータを前記送られた竣工図のデータとともに更新し、更新後の竣工図９のデータ及び背景図１２のデータを管路管理システム（Ａ）に戻し、管路管理システム（Ａ）における更新箇所６Ａのデータに更新後の竣工図９のデータ及び背景図１２のデータを上書きする。【選択図】　　　図１
2004110443.tif 000002
【特許請求の範囲】
【請求項１】
管路情報表示システムにおいて表示される既設管路の竣工図のデータと前記既設管路の背景図のデータとを更新する際に、更新すべき箇所を含む領域を指定して抜き出し、前記抜き出した領域内における前記背景図のデータを前記竣工図のデータとともに前記管路情報表示システムから管路情報設計システムに送り、前記管路情報設計システムにおいて前記送られた背景図のデータを前記送られた竣工図のデータとともに更新し、前記更新後の竣工図のデータ及び背景図のデータを前記管路情報表示システムに戻し、前記管路情報表示システムにおける前記領域内の竣工図のデータ及び背景図のデータに前記更新後の竣工図のデータ及び背景図のデータを上書きすることを特徴とする管路情報の更新方法。
【請求項２】
管路情報表示システムから抜き出され管路情報設計システムにて更新された竣工図のデータ及び背景図のデータが前記管路情報表示システムにおける領域内の竣工図のデータ及び背景図のデータに上書きされるまでは、前記管路情報表示システムにおいて前記領域内の背景図のデータを更新できないようにすることを特徴とする請求項１記載の管路情報の更新方法。
【発明の詳細な説明】
【０００１】
【発明の属する技術分野】
本発明は、管路情報の更新方法に関する。
【０００２】
【従来の技術】
近年、水道事業において、既設管路の情報などを的確に把握し、効果的な管路の維持管理を行うことが重要な事業になってきている。このため、管路の竣工図や既設管路の情報などのデータを蓄積してデータベースを構築し、このデータベースから既設管路の状態を容易に把握することを可能にした管路管理システムが利用されている。
【０００３】
図２に示すように、管路管理システムにおける表示画面１上には、管路の竣工図２や、建物３や道路４などを含む背景図５が表示される。
この管路管理システムにおいて、既設管路の変更や新たな管路が布設された場合に竣工図２のデータを更新するには、図３におけるステップ１に示すように、管路管理システム（Ａ）に表示されるデータにおいて更新すべき竣工図２が含まれる箇所、すなわち、破線部６Ａよりも内側部分にて示されている箇所（以下、更新箇所６Ａと記す）のデータを指定し、この部分のデータをこの更新箇所６Ａよりも外側部分にて示されている箇所（以下、非更新箇所と記す）のデータと分割して抜き出す。
【０００４】
そして、抜き出した更新箇所６Ａのデータを、管路管理システム（Ａ）と通信回線７などで連携している設計積算ＣＡＤシステム（Ｂ）のデータ形式に変換して送る。ここで、設計積算ＣＡＤシステム（Ｂ）のデータ形式に変換され送られた更新箇所６Ａのデータを、便宜上、更新箇所６Ｂと記す。
【０００５】
そして、ステップ２に示すように、この設計積算ＣＡＤシステム（Ｂ）において、新たに配管された管路８の配管図を更新箇所６Ｂのデータに入力する。
そして、この更新箇所６Ｂのデータにおいて、管路８が配管されたことで旧管路となった部分２ａのデータを削除し、ステップ３に示すように、管路８の配管図を線図化変換し、管路の新たな竣工図９を作成する。
【０００６】
そして、竣工図９のデータを含む更新箇所６Ｂのデータを、管路管理システム（Ａ）のデータ形式に変換して管路管理システム（Ａ）に戻し、ステップ４に示すように、この管路管理システム（Ａ）における更新前の更新箇所６Ａのデータに上書きする。
【０００７】
なお、上記した先行技術は文献公知発明に係るものではないため、先行技術文献情報を記載することができない。
【０００８】
【発明が解決しようとする課題】
しかしながら、管路の配管工事期間中に、建物の増築などによって背景が変わり、背景図５のデータを更新する必要が生じた場合に、ステップ２において設計積算ＣＡＤシステム（Ｂ）で管路８の配管図を作成している途中に管路管理システム（Ａ）において背景図５のデータを更新してしまうと、ステップ４において、管路管理システム（Ａ）における更新前の更新箇所６Ａのデータに、設計積算ＣＡＤシステム（Ｂ）から戻された更新後の更新箇所６Ａのデータが上書きされるので、管路管理システム（Ａ）において背景図５のデータを更新しても、最終的にはステップ４における上書き作業により、この更新された背景図５のデータが消滅してしまうことがあった。
【０００９】
これに対し、実際に背景が変わった場合に、図３に示すステップ４の終了後に、ステップ５として、管路管理システム（Ａ）において、変更すべき建物３ａのデータについて増築した箇所を実線１０のように入力し、増築前の建物の跡、すなわち仮想線１１にて示す部分のデータを削除して新たな背景図１２を作成していた。
【００１０】
しかしながら、設計積算ＣＡＤシステム（Ｂ）における管路８の配管図の作成作業は、実際の管路の配管工事の進展具合にあわせて行われているため、最終的に管路管理システム（Ａ）において背景図が更新されるのは、相当の期間を経過してからとなってしまう。また、上記のように、ステップ４の終了後に、背景図のデータを更新する工程、すなわちステップ５が必要となり、データ更新の作業としては効率が悪かった。
【００１１】
そこで本発明はこのような問題を解決して、管路管理システムにおける竣工図のデータ及び背景図のデータの更新を効率的かつ確実に行うことを目的とする。
【００１２】
【課題を解決するための手段】
上記課題を解決するために請求項１記載の発明は、管路情報表示システムにおいて表示される既設管路の竣工図のデータと前記既設管路の背景図のデータとを更新する際に、更新すべき箇所を含む領域を指定して抜き出し、前記抜き出した領域内における前記背景図のデータを前記竣工図のデータとともに前記管路情報表示システムから管路情報設計システムに送り、前記管路情報設計システムにおいて前記送られた背景図のデータを前記送られた竣工図のデータとともに更新し、前記更新後の竣工図のデータ及び背景図のデータを前記管路情報表示システムに戻し、前記管路情報表示システムにおける前記領域内の竣工図のデータ及び背景図のデータに前記更新後の竣工図のデータ及び背景図のデータを上書きするものである。
【００１３】
このような構成によれば、管路情報表示システムから送られた竣工図のデータのみならず背景図のデータをも管路情報設計システムにおいて更新し、更新後の竣工図のデータ及び背景図のデータを管路情報表示システムに送り、前記更新後の竣工図のデータ及び背景図のデータをこの管路情報表示システムにおける領域内の竣工図のデータ及び背景図のデータに上書きすることで、背景図のデータの更新を竣工図のデータの更新とともに、同一のシステムで一括して更新することができる。これにより、従来のように、背景図のデータの更新を、竣工図のデータの更新とは別のシステムで、かつ異なった工程で行わないことから、竣工図のデータ及び背景図のデータの更新を、余計な手間を省いて更新作業の効率化を図りつつ確実に行うことができる。
【００１４】
請求項２記載の発明は、請求項１記載の発明において、管路情報表示システムから抜き出され管路情報設計システムにて更新された竣工図のデータ及び背景図のデータが前記管路情報表示システムにおける領域内の竣工図のデータ及び背景図のデータに上書きされるまでは、前記管路情報表示システムにおいて前記領域内の背景図のデータを更新できないようにするものである。
【００１５】
このような構成によれば、管路情報表示システムから竣工図のデータ及び背景図のデータを抜き出した後に背景が変更になった場合に、管路情報表示システムにおいて背景図のデータを更新してしまい、この更新後の背景図のデータが、管路情報設計システムにおいて更新された竣工図のデータ及び背景図のデータが管路情報表示システムにおける領域内の竣工図のデータ及び背景図のデータに上書きされることによって消滅してしまうといったことを防止することができる。これにより、竣工図のデータ及び背景図のデータの更新を効率良くかつ確実に行うことができる。
【００１６】
【発明の実施の形態】
本発明の実施の形態の管路情報の更新方法を図１を参照しながら説明する。なお、本発明の実施の形態の管路情報表示システムとしての管路管理システム及び管路情報設計システムとしての設計積算ＣＡＤシステムは、従来の技術において用いたものと同様の構成である。また、本発明の実施の形態において、図２及び図３において使用したものと同様のものには、同じ符号を用いることでその詳細な説明を省略する。
【００１７】
本発明の管路情報の更新方法により管路管理システム（Ａ）において表示される管路情報である竣工図２のデータ及び背景図５のデータを更新するには、図１のステップ１に示すように、管路管理システム（Ａ）において更新しようとする箇所を含む領域、すなわち更新箇所６Ａにおける背景図５のデータを竣工図２のデータとともに指定し、この部分のデータをこの更新箇所６Ａよりも外側部分にて示されている非更新箇所の竣工図２のデータ及び背景図５のデータと分割して抜き出す。
【００１８】
このとき、管路管理システム（Ａ）における更新箇所６Ａの背景図５のデータを、例えば、「現在、工事中」として、後述する設計積算ＣＡＤシステム（Ｂ）にて更新された竣工図及び背景図のデータが管路管理システム（Ａ）における更新前の更新箇所６Ａのデータに上書きされるときまで変更できないように設定しておく。
【００１９】
そして、抜き出した更新箇所６Ａの竣工図２のデータ及び背景図５のデータを、管路管理システム（Ａ）と通信回線７などで連携している設計積算ＣＡＤシステム（Ｂ）のデータ形式に変換して送り、ステップ２に示すように、この設計積算ＣＡＤシステム（Ｂ）において竣工図２のデータのみならず背景図５のデータをも更新する。
【００２０】
すなわち、設計積算ＣＡＤシステム（Ｂ）においては、新たに配管された管路８の配管図を入力することと並行して背景図における変更すべき建物３ａについても増築された部分を実線１０にて示すように入力し、かつ建物３ａの増築前の跡である実線１３部分のデータを削除する。また、管路８が配管されたことで旧管路となった部分２ａのデータも削除する。なお、新たな背景図１２は、ステップ２において、建物３ａについてのデータ処理が終了することで作成される。
【００２１】
次に、ステップ３に示すように、管路８の配管図を線図化変換して、管路の新たな竣工図９を作成する。
このように、設計積算ＣＡＤシステム（Ｂ）において更新された竣工図９のデータと背景図１２のデータとを、管路管理システム（Ａ）のデータ形式に変換して管路管理システム（Ａ）に戻し、ステップ４に示すように、この管路管理システム（Ａ）における更新前の更新箇所６Ａのデータに上書きし、竣工図及び背景図のデータの更新作業が終了する。なお、竣工図９のデータと背景図１２のデータが管路管理システム（Ａ）のデータ形式に変換されて戻されるとき、あるいは、竣工図９のデータと背景図１２のデータが管路管理システム（Ａ）における更新前の更新箇所６Ａのデータに上書きされるときに、管路管理システム（Ａ）において背景図のデータを変更できないようにしてある設定は解除される。
【００２２】
以上のように、管路管理システム（Ａ）から設計積算ＣＡＤシステム（Ｂ）に送られた背景図５のデータを竣工図２のデータとともに、設計積算ＣＡＤシステム（Ｂ）において同時に一括で更新し、更新後の竣工図９のデータ及び背景図１２のデータを管路管理システム（Ａ）に戻し、この管路管理システム（Ａ）における更新前の更新箇所６Ａのデータに上書きすることで竣工図及び背景図のデータの更新作業を行うことができる。
【００２３】
したがって、図３に示したような従来の技術のように、背景図５のデータの更新を、竣工図２のデータの更新と別のシステムで、かつ異なった工程で更新しなくても良いので、ステップ５のような工程を削減することができ、その結果、竣工図のデータ及び背景図のデータの更新を、余計な手間を省いて更新作業の効率化を図りつつ確実に行うことができる。
【００２４】
また、ステップ２及びステップ３の時に、管路管理システム（Ａ）における更新箇所６Ａの背景図５のデータを、「現在、工事中」として、設計積算ＣＡＤシステム（Ｂ）にて更新された竣工図及び背景図のデータが管路管理システム（Ａ）における更新前の更新箇所６Ａのデータに上書きされるときまで変更できないように設定しておくことで、管路管理システム（Ａ）から竣工図２のデータ及び背景図５のデータを抜き出した後に実際の背景が変更になった場合に、管路管理システム（Ａ）において背景図５のデータを更新してしまい、この更新後の背景図のデータが、設計積算ＣＡＤシステム（Ｂ）において更新された竣工図のデータ及び背景図のデータが管路管理システム（Ａ）における更新箇所６Ａの竣工図のデータ及び背景図のデータに上書きされることによって消滅してしまうといったことを防止することができる。これにより、竣工図のデータ及び背景図のデータの更新を効率良くかつ確実に行うことができる。
【００２５】
【発明の効果】
以上のように本発明によれば、管路情報表示システムから送られた竣工図のデータのみならず背景図のデータをも管路情報設計システムにおいて更新し、更新後の竣工図のデータ及び背景図のデータを管路情報表示システムに送り、前記更新後の竣工図のデータ及び背景図のデータをこの管路情報表示システムにおける領域内の竣工図のデータ及び背景図のデータに上書きすることで、背景図のデータの更新を竣工図のデータの更新とともに、同一のシステムで一括して更新することができる。これにより、従来のように、背景図のデータの更新を、竣工図のデータの更新とは別のシステムで、かつ異なった工程で行わないことから、竣工図のデータ及び背景図のデータの更新を、余計な手間を省いて更新作業の効率化を図りつつ確実に行うことができる。
【００２６】
また、管路情報表示システムから竣工図のデータ及び背景図のデータを抜き出した後に背景が変更になった場合に、管路情報表示システムにおいて背景図のデータを更新してしまい、この更新後の背景図のデータが、管路情報設計システムにおいて更新された竣工図のデータ及び背景図のデータが管路情報表示システムにおける領域内の竣工図のデータ及び背景図のデータに上書きされることによって消滅してしまうといったことを防止することができる。これにより、竣工図のデータ及び背景図のデータの更新を効率良くかつ確実に行うことができる。
【図面の簡単な説明】
【図１】本発明の実施の形態の管路情報の更新方法を示す図である。
【図２】管路管理システムの表示画面を示す図である。
【図３】従来の技術における管路情報の更新方法を示す図である。
【符号の説明】
６Ａ　更新箇所
９　　竣工図
１２　　背景図
（Ａ）　　管路管理システム
（Ｂ）　　設計積算ＣＡＤシステム
【図１】
2004110443.tif 000003
【図２】
2004110443.tif 000004
【図３】
2004110443.tif 000005